(57)【特許請求の範囲】
【請求項１】
ＩＤが記録され残高の範囲内で決済可能なカードと、該カードのカード情報を管理するカード管理サーバと、前記カードからＩＤを読み取り、ネットワークを介して前記カード管理サーバと通信を行い、前記カード情報を更新する端末とを有するカード管理システムであって、
前記カード管理サーバは、
前記カードのカードＩＤと、該カードのカード発行会社ＩＤと、該カードの取扱会社ＩＤと、該カードＩＤに関連づけられた他のカードのカードＩＤを示す纏め済みカードＩＤとを対応付けて記録したカード管理テーブルを記憶し、
前記カード管理テーブルから決済依頼に含まれる第１カードのカードＩＤに対応する該第１カードの取扱会社ＩＤを取得し、該第１カードの取扱会社ＩＤと該決済依頼に含まれる店舗情報から判定した店舗の取扱会社ＩＤとが一致した場合、該決済依頼に対し第１のカードによる決済処理を実行し、
前記第１カードの取扱会社ＩＤと前記店舗の取扱会社ＩＤと一致しない場合、前記カード管理テーブルから前記第１カードのカードＩＤに対応する纏め済みカードＩＤを取得し、該纏め済みカードＩＤである第２カードのカードＩＤに対応する該第２カードの取扱会社ＩＤを取得し、該第２カードの取扱会社ＩＤと前記店舗の取扱会社ＩＤとが一致した場合、該決済依頼に対し第２のカードによる決済処理を実行すること、
を特徴とするカード管理システム。
【請求項２】
前記カード管理サーバは、
前記カード管理テーブルは、さらに、有効又は無効を示す初回取扱会社限定フラグとを対応付けて記録し、
前記カード管理テーブルから決済依頼に含まれる第１カードのカードＩＤに対応する該第１カードの取扱会社ＩＤを取得できないとき、前記カード管理テーブルから初回取扱会社限定フラグを取得し、該初回取扱会社限定フラグが有効を示す場合、前記カード管理テーブルにおいて、該第１カードのカードＩＤに対応する該第１カードの取扱会社ＩＤとして前記店舗の取扱会社ＩＤを記録し、
前記決済依頼に対し第１のカードによる決済処理を実行すること、
を特徴とする請求項１記載のカード管理システム。
【請求項３】
前記カード管理サーバは、
前記第２カードの取扱会社ＩＤと前記店舗の取扱会社ＩＤと一致しない場合、前記カード管理テーブルから前記第２カードのカードＩＤに対応する纏め済みカードＩＤを取得し、該纏め済みカードＩＤである第３カードのカードＩＤに対応する該第３カードの取扱会社ＩＤを取得し、該第３カードの取扱会社ＩＤと前記店舗の取扱会社ＩＤとが一致した場合、該決済依頼に対し第３のカードによる決済処理を実行すること、
を特徴とする請求項１又は２記載のカード管理システム。
【請求項４】
ＩＤが記録され残高の範囲内で決済可能なカードと、該カードのカード情報を管理するカード管理サーバと、前記カードからＩＤを読み取り、ネットワークを介して前記カード管理サーバと通信を行い、前記カード情報を更新する端末とを有するカード管理システムにおける前記カード管理サーバであって、
前記カードのカードＩＤと、該カードのカード発行会社ＩＤと、該カードの取扱会社ＩＤと、該カードＩＤに関連づけられた他のカードのカードＩＤを示す纏め済みカードＩＤとを対応付けて記録したカード管理テーブルを記憶し、
前記カード管理テーブルから決済依頼に含まれる第１カードのカードＩＤに対応する該第１カードの取扱会社ＩＤを取得し、該第１カードの取扱会社ＩＤと該決済依頼に含まれる店舗情報から判定した店舗の取扱会社ＩＤとが一致した場合、該決済依頼に対し第１のカードによる決済処理を実行し、
前記第１カードの取扱会社ＩＤと前記店舗の取扱会社ＩＤと一致しない場合、前記カード管理テーブルから前記第１カードのカードＩＤに対応する纏め済みカードＩＤを取得し、該纏め済みカードＩＤである第２カードのカードＩＤに対応する該第２カードの取扱会社ＩＤを取得し、該第２カードの取扱会社ＩＤと前記店舗の取扱会社ＩＤとが一致した場合、該決済依頼に対し第２のカードによる決済処理を実行すること、
を特徴とするカード管理サーバ。
【請求項５】
ＩＤが記録され残高の範囲内で決済可能なカードと、該カードのカード情報を管理するカード管理サーバと、前記カードからＩＤを読み取り、ネットワークを介して前記カード管理サーバと通信を行い、前記カード情報を更新する端末とを有するカード管理システムにおけるカード管理方法であって、
前記カード管理サーバは、
カード管理テーブルから、前記カードのカードＩＤと、該カードのカード発行会社ＩＤと、該カードの取扱会社ＩＤと、該カードＩＤに関連づけられた他のカードのカードＩＤを示す纏め済みカードＩＤとを対応付けて記録したカード管理テーブルを読み出し、
前記カード管理テーブルから決済依頼に含まれる第１カードのカードＩＤに対応する該第１カードの取扱会社ＩＤを取得し、該第１カードの取扱会社ＩＤと該決済依頼に含まれる店舗情報から判定した店舗の取扱会社ＩＤとが一致した場合、該決済依頼に対し第１のカードによる決済処理を実行し、
前記第１カードの取扱会社ＩＤと前記店舗の取扱会社ＩＤと一致しない場合、前記カード管理テーブルから前記第１カードのカードＩＤに対応する纏め済みカードＩＤを取得し、該纏め済みカードＩＤである第２カードのカードＩＤに対応する該第２カードの取扱会社ＩＤを取得し、該第２カードの取扱会社ＩＤと前記店舗の取扱会社ＩＤとが一致した場合、該決済依頼に対し第２のカードによる決済処理を実行すること、
を特徴とするカード管理方法。
【請求項６】
ＩＤが記録され残高の範囲内で決済可能なカードと、該カードのカード情報を管理するカード管理サーバと、前記カードからＩＤを読み取り、ネットワークを介して前記カード管理サーバと通信を行い、前記カード情報を更新する端末とを有するカード管理システムにおいて、コンピュータである前記カード管理サーバに、
カード管理テーブルから、前記カードのカードＩＤと、該カードのカード発行会社ＩＤと、該カードの取扱会社ＩＤと、該カードＩＤに関連づけられた他のカードのカードＩＤを示す纏め済みカードＩＤとを対応付けて記録したカード管理テーブルを読み出させ、
前記カード管理テーブルから決済依頼に含まれる第１カードのカードＩＤに対応する該第１カードの取扱会社ＩＤを取得し、該第１カードの取扱会社ＩＤと該決済依頼に含まれる店舗情報から判定した店舗の取扱会社ＩＤとが一致した場合、該決済依頼に対し第１のカードによる決済処理を実行させ、
前記第１カードの取扱会社ＩＤと前記店舗の取扱会社ＩＤと一致しない場合、前記カード管理テーブルから前記第１カードのカードＩＤに対応する纏め済みカードＩＤを取得し、該纏め済みカードＩＤである第２カードのカードＩＤに対応する該第２カードの取扱会社ＩＤを取得し、該第２カードの取扱会社ＩＤと前記店舗の取扱会社ＩＤとが一致した場合、該決済依頼に対し第２のカードによる決済処理を実行させるためのプログラム。
【発明の詳細な説明】
【技術分野】
【０００１】
本発明はカード管理システム、カード管理サーバ、カード管理方法、プログラムに係り、特に、ＩＤが記録されたカードと、カードのカード情報を管理するカード管理サーバと、カードからＩＤを読み取り、ネットワークを介してカード管理サーバと通信を行い、カード情報を更新する端末とを有するカード管理システム、カード管理サーバ、カード管理方法、プログラムに関する。
【背景技術】
【０００２】
近年、ギフト券を磁気カード化して、プリペイドカードのように使用できるようにしたカードが市場に出回っている。
【０００３】
この様なカードは、取扱会社によって取り扱えるカードが決まっており、通常、店舗によって取扱会社が限定されている。このため、ユーザは複数種類のカードを所持して、店舗に応じて使い分けていた。また、既に所持しているカードと同じ店舗で利用可能なカードを贈呈等により入手した場合、そのまま複数枚のカードを所持せねばならなかった。更に、店舗によって取扱会社が限定されることから、カードを贈呈された人が普段利用しない店舗のカードではギフトとしての目的を達成できない。
【０００４】
このような、不便を解消するために、従来、異なる種類のカードを所定のサービス範囲で相互に利用可能としたシステムが提案されている（特許文献１参照）。
【０００５】
なお、残高、個人情報などが記録される銀行系のＩＣカードなどの分野においては、異なる用途の決済手段を相互に利用可能とするシステムが提案されていた（特許文献２、３参照）。
【特許文献１】特開平１１−８６０９８号公報
【特許文献２】特開２０００−２９９６５号公報
【特許文献３】特開２００４−２０６２４８号公報
【発明の開示】
【発明が解決しようとする課題】
【０００６】
しかるに、従来のこの種のカードは、一枚のカードに付き一つの残高を管理しているので、カードの前払い金額を受領した取扱会社と、カードが利用された店舗を管轄する取扱会社との間で、複雑な精算処理が必要となった。
【０００７】
また、異なる種類のカードを所定のサービス範囲で相互に利用可能としたシステムは、あくまでも複数種類のカードを相互に使用するものであり、一旦、複数種類のカードを所持した場合に、それらのカードを一つにまとめることはできなかった。
【０００８】
さらに、ＩＣカードを用いるシステムでは、カード及び周辺装置が高価であり、また、カードに残高、個人情報を記憶しているため、一般に普及し難かった。
【０００９】
本発明は上記の点に鑑みてなされたもので、カードの取扱会社間の精算処理を複雑にすることなく、複数のカードを取り纏めて一つのカードで使用可能とするカード管理システム、カード管理サーバ、カード管理方法、プログラムを提供することを目的とする。本発明の他の目的は、贈呈などによりカードを入手した人が、該カードを使用する店舗を自ら選択できるようにして、ギフトとしての目的を達成し易くするカード管理システム、カード管理サーバ、カード管理方法、プログラムを提供することである。
【課題を解決するための手段】
【００１０】
本発明は、ＩＤが記録されたカードと、カードのカード情報を管理するカード管理サーバと、カードからＩＤを読み取り、ネットワークを介してカード管理サーバと通信を行い、カード情報を更新する端末とを有するカード管理システムであって、カード管理サーバが所定のカードのカード情報と他のカードのカード情報とを関連づけて管理可能とされており、所定のカードにより所定のカードに関連づけられた他のカードのカード情報を更新可能とされていることを特徴とする。
【００１１】
また、このとき、所定のカードのカード情報は、他のカードのＩＤを含み、カード管理サーバは所定のカードのカード情報に含まれる他のカードのＩＤに基づいて他のカードのカード情報を検索することにより所定のカードのカード情報と他のカードのカード情報とを関連づけていることを特徴とする。さらに、所定のカードと他のカードとは同じ利用条件で取り扱うことができない券種の異なるカードであることを特徴とする。
【００１２】
本発明は、ネットワークを介して端末と通信可能とされており、端末によりＩＤが記録されたカードから読み取られたＩＤに基づいてカードを管理するカード管理サーバであって、カードのカード情報を前記ＩＤに基づいて管理するデータベースと、カードのＩＤに基づいてデータベースを検索し、端末からの要求に基づいてカード情報を更新する処理手段とを有し、データベースが所定のカードのカード情報と他のカードのカード情報とを関連づける関連づけ情報を有し、処理手段が関連づけ情報に基づいて所定のカードのＩＤから前記所定のカードに関連づけられた他のカードのカード情報を更新することを特徴とする。
【００１３】
本発明は、端末によりＩＤが記録されたカードを読み取り、カードのカード情報を管理するカード管理サーバとネットワークを介して通信を行い、ＩＤに基づいてカード情報を更新するカード管理方法であって、所定のカードのカード情報と他のカードのカード情報とを関連づけて管理し、前記所定のカードにより他のカードのカード情報を更新可能としたことを特徴とする。
【００１４】
本発明は、コンピュータ読み取り可能なプログラムであって、所定のカードに付与されたＩＤに基づいてカードのカード情報を管理するデータベースを検索し、所定のカードのカード情報を取得させる第１の検索手順と、カード情報に付与されており、所定のカードと他のカードとを関連づける関連づけ情報に基づいてデータベースを検索し、他のカードのカード情報を取得する第２の検索手順と、他のカード情報を更新させる更新手順とをコンピュータに実行させることを特徴とする。
【発明の効果】
【００１５】
本発明によれば、カード管理サーバが所定のカードのカード情報と他のカードのカード情報とを関連づけて管理可能とされており、所定のカードにより所定のカードに関連づけられた他のカードのカード情報を更新可能とすることにより、所定のカードのカード情報から他のカードのカード情報を参照することができ、これによって所定のカードによって他のカードを利用することが可能となり、複数のカードを一枚のカードにまとめることができる。これによってカードの利便性を向上させることができる。
【発明を実施するための最良の形態】
【００１６】
図１は本発明の一実施例のシステム構成図を示す。
【００１７】
本実施例のカード管理システム１００は、カード１１１、カードリーダライタ１１２、店舗端末１１３、ネットワーク１１４、管理サーバ１１５、ユーザ端末１１６から構成されている。
【００１８】
カード１１１は、例えば、磁気カードであり、少なくともカード１１１を識別するためのＩＤが磁気的に記録されている。カードリーダライタ１１２は、少なくともカード１１１に磁気的に記録されたＩＤを読み取り可能とされている。
【００１９】
カードリーダライタ１１２は、カード１１１から読み取ったＩＤを店舗端末１１３に供給する。店舗端末１１３は、ＰＯＳ端末などから構成されており、店舗に設置され、カードリーダライタ１１２から受け取ったカード１１１のＩＤに基づいて決済などの要求を生成し、ネットワーク１１４を介して管理サーバ１１５に供給する。
【００２０】
管理サーバ１１５は、処理装置１２１、データベース１２２から構成されている。処理装置１２１は、コンピュータシステムなどから構成されており、管理プログラムに基づいてデータを処理しており、店舗端末１１３からの要求に基づいてデータベース１２２を検索し、所望のカード情報を読み出し、処理を行うとともに、その処理結果によりデータベース１２２を更新する。
【００２１】
データベース１２２は、カード管理テーブル１３１、カード発行会社テーブル１３２、カード取扱会社テーブル１３３、券種テーブル１３４、提携テーブル１３５を含む構成とされている。
【００２２】
図２はカード管理テーブル１３１のデータ構成図を示す。
【００２３】
カード管理テーブル１３１は、カードＩＤ１４１、発行会社ＩＤ１４２、券種１４３、認証番号１４４、残高１４５、入会日１４６、有効期限１４７、有効／無効フラグ１４８、まとめ済カードＩＤ１４９、初回取扱会社限定フラグ１５０、取扱会社ＩＤ１５１などの情報を含む構成とされている。
【００２４】
カードＩＤ１４１は、個々のカードを識別するための情報である。発行会社ＩＤ１４２は、カードを発行した会社を識別するための情報である。
【００２５】
券種１４３は、種類の異なるカードを識別するための情報である。種類の異なるカードとは、例えば、取扱会社が異なるカードや、取扱対象の商品群が異なるカードであり、同じ利用条件で取り扱うことができないカードである。例えば、一方の取扱会社で取り扱い可能であるが、他の取扱会社で取り扱えないカードや、或いは取扱会社が同じであっても、購入できる商品が異なるカードである。認証番号１４４は、ユーザの本人確認を行うための情報である。
【００２６】
残高１４５は、現在、入金されている残高を示す情報である。入会日１４６は、カードに最初に入金された日時を示す情報である。
【００２７】
有効期限１４７は、カードの有効期限を示す情報である。有効／無効フラグ１４８は、カードを有効とするか、無効とするかを識別するためのフラグである。
【００２８】
まとめ済カードＩＤ１４９は、関連づけ情報に相当しており、まとめられた他のカードを識別するＩＤである。本実施例では、まとめ済カードＩＤ１４９により他のカードのカード情報を取得可能とし、取り纏める複数のカードのカード情報のまとめ済カードＩＤ１４９に順次に取り纏めるカードのＩＤを設定することによって複数のカードのカード情報を取得可能としている。
【００２９】
初回取扱会社限定フラグ１５０は、予めカードの取扱会社が決められているか、それとも予め決めずに初回利用時の取扱会社にカード利用を限定するか否かを識別するためのフラグである。取扱会社ＩＤ１５１は、利用する取扱会社を識別するためのＩＤであり、利用する取扱会社ＩＤが設定される。
【００３０】
図３は、カード発行会社テーブル１３２のデータ構成図を示す。
【００３１】
カード発行会社テーブル１３２は、カード発行会社を特定するためのテーブルであり、カード発行会社ＩＤ１６１、名称１６２、所在地１６３などの情報を含む構成とされている。
【００３２】
カード発行会社ＩＤ１６１は、カードを発行している会社の識別情報である。名称１６２は、カード発行会社の名称を示す情報である。所在地１６３は、カード発行会社の所在地を示す情報である。
【００３３】
図４は、カード取扱会社テーブル１３３のデータ構成図を示す。
【００３４】
カード取扱会社テーブル１３３は、カード取扱会社ＩＤ１７１、名称１７２、所在地１７３などの情報を含む構成とされている。
【００３５】
カード取扱会社ＩＤ１７１は、カード取扱会社を識別するためのＩＤである。名称１７２は、カード取扱会社の名称を示す情報である。所在地１７３は、カート取扱会社の所在地を示す情報である。
【００３６】
図５は、券種テーブル１３４のデータ構成図である。
【００３７】
券種テーブル１３４は、カード発行会社ＩＤ１８１、券種１８２、券種名称１８３、カード認証方法１８４などの情報から構成されている。
【００３８】
カード発行会社ＩＤ１８１は、カード発行会社を識別するためのＩＤである。券種１８２は、カードの種類を識別するための識別情報である。券種名称１８３は、カードに付与された名称を示す情報である。カード認証方法１８４は、カードの認証、暗号化方法あるいはそれらの有無を示す情報である。
【００３９】
図６は提携テーブル１３５のデータ構成図を示す。
【００４０】
提携テーブル１３５は、カード発行会社ＩＤ１９１、券種１９２、カード取扱会社ＩＤ１９３などの情報を含む構成とされている。
【００４１】
カード発行会社ＩＤ１９１は、カード発行会社を識別するＩＤである。券種１９２は、カードの種類を示す情報である。カード取扱会社ＩＤ１９３は、カード発行会社と提携関係にあるカード取扱会社を識別するＩＤである。
【００４２】
次に、カード管理システム１００の概略動作を説明する。
【００４３】
図７はカード取り纏め時の処理を説明するための図を示す。
【００４４】
カード取り纏めを行う場合、ユーザはステップＳ１−１でユーザ端末１１６を操作することによりカード管理サーバ１１５にカード取り纏め要求を発行する。
【００４５】
カード管理サーバ１１５は、ユーザ端末１１６からのカード取り纏め要求を受信すると、ステップＳ１−２で取り纏めカード情報をユーザ端末１１６に要求する。
【００４６】
ユーザは、カード管理サーバ１１５からの取り纏めカード情報要求に応答して、ユーザ端末１１６を操作することにより取り纏め先のカード情報、取り纏め元のカード情報などを入力する。ユーザ端末１１６はユーザにより取り纏めカード情報が入力され、送信指示操作が行われると、ステップＳ１−３でカード管理サーバ１１５に取り纏めカード情報を送信する。
【００４７】
カード管理サーバ１１５は、ステップＳ１−４でユーザ端末１１６から取り纏めカード情報を受信すると、ステップＳ１−５でカード取り纏め処理を実行する。カード取り纏め処理が実行されると、所定のカードのカード情報に関連づけ情報として取り纏め元のカードのＩＤが付与され、所定のカードから取り纏め元のカードのカード情報を検索可能となるので、所定のカードによって取り纏め元のカードを使用可能となる。
【００４８】
次に新規カードの購入時にユーザが所持するカードを取り纏める時の動作について説明する。
【００４９】
図８は新規カードとユーザが所持するカードを取り纏める時の動作を説明するための図を示す。
【００５０】
店舗端末１１３は、店員の操作により新規カード発行するための操作が行われると、ステップＳ２−１でカード管理サーバ１１５にカード発行依頼を送信する。
【００５１】
カード管理サーバ１１５は、店舗端末１１３からカード発行依頼を受信すると、ステップＳ２−２でカード発行処理を実行し、店舗端末１１３に通知する。カード発行処理により、予めカード管理テーブル１３１に新規のカードに対応して登録されているカード情報の有効無効フラグ１４８が有効に設定される。
【００５２】
店舗端末１１３は、カード管理サーバ１１５からカードが発行された旨の通知を受信すると、ステップＳ２−３で新規カードが発行される。
【００５３】
このとき、新規に発行されたカードにユーザが所持する他のカードを取り纏める依頼がユーザから店員にあると、店員は店舗端末１１３により新規カードＩＤ、取り纏める他のカードのＩＤなどの情報を取得して、カード取り纏め依頼操作を行う。店舗端末１１３は、ステップＳ２−４でカード取り纏め依頼操作に応じてカード管理サーバ１１５にカード取り纏め依頼を送信する。
【００５４】
カード管理サーバ１１５は、店舗端末１１３からのカード取り纏め依頼に基づいてカードを取り纏め、店舗端末１１３に通知する。店舗端末１１３では、カード取り纏め通知により、ステップＳ２−６で上記新規カードはユーザが所持する前記カードが取り纏められた状態で発行される。
【００５５】
図９はカード取り纏め時のカード情報の関連を示す。
【００５６】
図９はカードＡにカードＢ、及び、カードＣを取り纏めたときの、対応する夫々のカード情報の関連を示す。尚、カード情報の関連づけの態様は本実施例に限定されるものではない。
【００５７】
カードＡのＩＤを「１００１」、カードＢのＩＤを「１００２」、カードＣのＩＤを「１００３」とする。このとき、カードＡのカード情報のうちまとめ済カードＩＤ１４９としてカードＢのＩＤ「１００２」が設定され、カードＢのカード情報のまとめ済カードＩＤとしてカードＣのＩＤ「１００３」が設定される。
【００５８】
カードＡを用いてカードＢの残高から決済を行う場合、カードＡのカード情報に含まれるまとめ済カードＩＤからカードＢのＩＤを取得し、カードＢのカード情報を検索し、カードＢのカード情報を取得し、カードＢのカード情報に含まれる残高を用いて決済が行われる。
【００５９】
さらに、カードＡを用いてカードＣの残高から決済を行う場合、カードＡのカード情報に含まれるまとめ済カードＩＤからカードＢのＩＤを取得し、カードＢのＩＤからカードＢのカード情報を取得し、さらに、カードＢのカード情報に含まれるまとめ済カードＩＤからカードＣのＩＤを取得し、カードＣのＩＤからカードＣのカード情報を取得し、カードＣのカード情報に含まれる残高を用いて決済が行われる。
【００６０】
以上のようにカードＢ、ＣのＩＤをカード情報に設定されたまとめ済カードＩＤとして順次に設定することにより芋づる式にカード情報を参照できるので、カードＡ、Ｂ、Ｃのいずれにも対応して決済を行うことができる。また、以上の説明からあきらかなように、決済はカードＡ、Ｂ、Ｃのそれぞれに対応する取扱会社に対して行なわれるので、取扱会社間での精算処理が複雑になることが無い。
【００６１】
次に、カード管理サーバ１１５のカード取り纏め処理動作を説明する。
【００６２】
図１０はカード管理サーバ１１５のカード取り纏め処理フローチャートを示す。
【００６３】
カード管理サーバ１１５は、ステップＳ３−１でユーザ端末１１６からカード取り纏め依頼があると、ステップＳ３−２でカード取り纏め依頼から取り纏め先のカードＩＤを取得し、ステップＳ３−３でカード取り纏め依頼から取り纏め元のカードＩＤを取得する。
【００６４】
次にカード管理サーバ１１５は、ステップＳ３−４でカード管理テーブル１３１を検索して、取り纏め先カードＩＤのカード情報を取得する。
【００６５】
カード管理サーバ１１５は、ステップＳ３−５でカード情報に既にまとめ済カードＩＤ１４９が格納されているか否かを判定する。カード管理サーバ１１５は、ステップＳ３−５で既にまとめ済カードＩＤが格納されていない場合には、ステップＳ３−６で取り纏め元カードＩＤをまとめ済カードＩＤとしてカード情報に設定する。取り纏め元カードＩＤがカード情報に設定されると、ステップＳ３−７でカード情報テーブル１２２を更新する。
【００６６】
また、カード管理サーバ１１５はステップＳ３−５でカード情報のまとめ済カードＩＤ１４９が既に格納されている場合には、ステップＳ３−８で当該まとめ済カードＩＤのカード情報を検索し、カード情報を取得し、ステップＳ３−５に戻って取り纏め元カードＩＤがカード情報のまとめ済カードＩＤとして設定されるまで処理を続ける。
【００６７】
以上により、取り纏め先カードと取り纏め元カードとが関連づけされ、取り纏め先カードから取り纏め元カードのカード情報を取得することが可能となる。
【００６８】
次に取り纏めカードを用いた決済時の処理について説明する。
【００６９】
図１１は決済処理の処理フローチャートを示す。
【００７０】
カード管理サーバ１１５は、ステップＳ４−１で店舗端末１１３から決済依頼を受信すると、ステップＳ４−２で決済依頼に含まれる店舗情報を取得する。
【００７１】
カード管理サーバ１１５は、ステップＳ４−３で店舗情報から取扱会社を判定する。
【００７２】
次にカード管理サーバ１１５は、ステップＳ４−４で決済依頼に含まれるカードＩＤをキーとしてカード管理テーブル１３１を検索する。カード管理サーバ１１５は、ステップＳ４−５でカードＩＤに対応するカード情報がカード管理データベース１３１に存在するか否かを判定する。
【００７３】
カード管理サーバ１１５は、ステップＳ４−５でカード管理データベース１３１にカード情報が無ければ、決済依頼を受けたカードは未登録カードであると判断して、ステップＳ４−６で店舗端末１１３にＮＧ通知を行う。
【００７４】
カード管理サーバ１１５は、ステップＳ４−５でカード管理データベース１３１にカード情報が存在すれば、ステップＳ４−７でカード情報に含まれる取扱会社ＩＤ１５１に取扱会社ＩＤが設定されているか否かを判定する。カード管理サーバ１１５は、ステップＳ４−７で取扱会社ＩＤ１５１にＩＤが設定されていれば、ステップＳ４−８でカード情報に含まれる取扱会社ＩＤ１５１とステップＳ４−３で判定された取扱会社ＩＤとが一致するか否かを判定する。
【００７５】
カード管理サーバ１１５は、ステップＳ４−８で取扱会社ＩＤが一致すれば、ステップＳ４−９で決済処理を行う。例えば、残高から利用料金を減額する処理を実行し、処理結果を店舗端末１１３に通知する処理を実行する。
【００７６】
また、カード管理サーバ１１５は、ステップＳ４−７で取扱会社ＩＤ１５１にＩＤが設定されていない場合には、ステップＳ４−１０でカード情報に含まれる初回取扱会社限定フラグ１５０が有効か無効かを判断する。カード管理サーバ１１５は、ステップＳ４−１０で初回取扱会社限定フラグ１５０が有効の場合、ステップＳ４−１１で、ステップＳ４−３で判定した取扱会社のＩＤを取扱会社ＩＤ１５１に設定し、当該取扱会社のみで利用可能なカードに設定する。尚、この場合はステップＳ４−８で取扱会社ＩＤが一致するか否かを判定すると、取扱会社ＩＤが必ず一致するので、常にステップＳ４−９に進んで決済処理を行う。
【００７７】
図１２は初回取扱会社設定動作を説明するための図を示す。
【００７８】
図１２（Ａ）に示すようにカード情報の初回取扱会社限定フラグが有効であった場合、カード情報に含まれるカード発行会社ＩＤ「Ｈ０１」と券種「０２」をキーとして図１２（Ｂ）に示す券種テーブル１３４を参照し、カード発行会社ＩＤ「Ｈ０１」の券種「０２」のカードが取扱可能なカード取扱会社として初回利用時のカード取扱会社のＩＤ「Ｔ０２」が存在すれば、図１２（Ｃ）に示されるようにカード情報の取扱会社ＩＤに「Ｔ０２」を設定する。カード情報の取扱会社ＩＤが設定されることにより、それ以降は当該取扱会社のみで利用可能となる。更に、この処理に引き続いて、カードの前払い金を受領した取扱会社から初回利用時の取扱会社に前払い金額を移動する処理を実行してもよい。尚、カードの前払い金を受領した取扱会社は、カード情報１３１の発行会社ＩＤ１４２及び券種１４３から判別できる。
【００７９】
また、カード管理サーバ１１５は、ステップＳ４−１０でカード情報に含まれる初回取扱会社限定フラグ１５０が無効の場合には通常のカードとして扱い、ステップＳ４−１２でカード情報に含まれる発行会社ＩＤ１４２と券種１４３からそれぞれ発行会社情報と券種情報とを取得し、ステップＳ４−１３で該券種情報と該発行会社情報をキーとしてデータベース１２２の券種テーブル１３４を検索し、取扱会社ＩＤを取得する。
【００８０】
カード管理サーバ１１５は、ステップＳ４−１３で取扱会社ＩＤを取得すると、ステップＳ４−８で、取得した取扱会社ＩＤとステップＳ４−３で取得した取扱会社ＩＤとが一致するか否かを判定して、取扱会社ＩＤが一致すれば、ステップＳ４−９で決済処理を行う。
【００８１】
また、カード管理サーバ１１５は、ステップＳ４−８で取扱会社が一致しなければ、ステップＳ４−１４でカード情報から取り纏め済カードＩＤ１４９からＩＤを取得し、ステップＳ４−４でカード情報テーブル１３１を検索し、ステップＳ４−５〜Ｓ４−１４を繰り返す。以上により、決済要求があった店舗の取扱会社と一致するカードのカード情報を用いて決済を行うことができる。
【００８２】
以上、本実施例によれば、カードの取扱会社間の精算処理を複雑にすることなく、複数のカードを一枚のカードに取り纏めることができ、このとき、取り纏められた一枚のカードによって取り纏められた他のカードを利用することが可能となる。
【００８３】
また、本実施例によれば、取り纏める複数のカードのカード情報のまとめ済カードＩＤ１４９に複数のカードのＩＤを順次に設定しておくことにより、芋づる式にカード情報を関連づけることができ、これによって、カード情報の記憶容量を大きくすることなく、複数のカードを取り纏めることが可能となる。
【００８４】
さらに、本実施例によれば、カードの初回利用時に利用者が所望の店舗を選択可能なカードを提供できるので、ギフトとして好適である。
【００８５】
また、本実施例では、カードには、カードを識別するためのカードＩＤが記憶されているだけであり、個人情報などは記憶されていないため、カードを紛失してしまった場合でも個人情報の流出などを防げる。また、本実施例は、カードリーダライタ１１２も安価で、また、ＰＯＳなどに一般に搭載されている周辺装置を用いてシステムを実現できるので、導入が容易であり、急速に普及することが見込まれる。
【００８６】
なお、本実施例では、カードとして磁気カードを例に説明したが、適用できるカードは磁気カードに限定されるものではなく、他読み取り方式のカードであってもよい。
【００８７】
なお、本発明は上記実施例に限定されるものではなく、本発明の要旨を逸脱しない範囲で種々の変形例が考えられることは言うまでもない。
【図面の簡単な説明】
【００８８】
【図１】本発明の一実施例のシステム構成図である。
【図２】カード管理テーブル１３１のデータ構成図である。
【図３】カード発行会社テーブル１３２のデータ構成図である。
【図４】カード取扱会社テーブル１３３のデータ構成図である。
【図５】券種テーブル１３４のデータ構成図である。
【図６】提携テーブル１３５のデータ構成図である。
【図７】カード取り纏め時の動作を説明するための図である。
【図８】取り纏めカード追加時の動作を説明するための図である。
【図９】カード取り纏め時の動作説明図である。
【図１０】カード管理サーバ１１５の処理フローチャートである。
【図１１】決済処理の処理フローチャートである。
【図１２】初回取扱会社設定動作を説明するための図である。
【符号の説明】
【００８９】
１００  カード管理システム
１１１  カード、１１２  カードリーダライタ、１１３  店舗端末
１１４  ネットワーク、１１５  カード管理サーバ、１１６  ユーザ端末
１２１  処理装置、１２２  データベース
１３１  カード情報テーブル、１３２  カード発行会社テーブル
１３３  カード取扱会社テーブル、１３４  券種テーブル、１３５  提携テーブル
【図１】
0004834455.tif 000002
【図２】
0004834455.tif 000003
【図３】
0004834455.tif 000004
【図４】
0004834455.tif 000005
【図５】
0004834455.tif 000006
【図６】
0004834455.tif 000007
【図７】
0004834455.tif 000008
【図８】
0004834455.tif 000009
【図９】
0004834455.tif 000010
【図１０】
0004834455.tif 000011
【図１１】
0004834455.tif 000012
【図１２】
0004834455.tif 000013